【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
ビデオ圧縮量子化を制御する量子化制御方法であって、前記量子化制御方法は、
データブロックの少なくとも一部の隣接画素のペア同士の輝度成分の差に基づき、対角周波数因子を生成することと；
前記対角周波数因子と、前記データブロックの少なくとも一部の輝度強度と、および前記データブロックの動きレベルとに基づき、量子化スケールオフセットを生成させることと；
第２量子化スケールを受信すべく、前記量子化スケールオフセットを用いて第１量子化スケールを調整することと；
前記第２量子化スケールを用いて前記データブロックを量子化することと
を備える、量子化制御方法。
【請求項２】
前記量子化スケールオフセットの前記生成は、前記対角周波数因子、前記輝度強度、および前記動きレベルに、重み関数を適用することを含む、
請求項１記載の量子化制御方法。
【請求項３】
前記対角周波数因子の前記生成は、
前記データブロックの画素の複数のグループを選択することと；
それぞれ前記グループ毎に、対応するグループ輝度成分を算出することと；
前記対角周波数因子を算出すべく、複数の前記グループ輝度成分を加算することと；
を備え、
前記グループ毎の前記グループ輝度成分の算出は、
第１差分グループを求めるために、水平に隣接する画素の複数のペアの輝度成分同士を引算することと；
第２差分グループを求めるために、画素の垂直に隣接する複数のペアの前記第１差分グループのペア同士で引算することと；
前記グループ輝度成分を算出するために前記第２差分グループを加算することと
を備える、
請求項１記載の量子化制御方法。
【請求項４】
前記重み関数の適用は、ビデオ圧縮エンコーダの特性に関連するパラメータに基づき、前記対角周波数因子、前記輝度強度、および前記動きレベルのうちの少なくとも１つを処理することを含む、
請求項２記載の量子化制御方法。
【請求項５】
前記データブロック内の画素の複数の前記グループは、前記データブロックの全ての画素を有する、
請求項３記載の量子化制御方法。
【請求項６】
前記データブロック内の画素の複数の前記グループは、前記データブロックの部分集合を規定する、
請求項３記載の量子化制御方法。
【請求項７】
前記重み関数は、ビデオ圧縮エンコーダの特性に関連するパラメータに基づく積の予め規定された加重和を含む、
請求項２記載の量子化制御方法。
【請求項８】
前記重み関数は、コード化すべきビデオストリームの特性に関連するパラメータに基づく積の適応加重和を含む、
請求項２記載の量子化制御方法。
【請求項９】
前記対角周波数因子の前記生成は、
前記データブロックの画素の複数のグループを選択することと；
それぞれ前記グループ毎に、対応するグループ輝度成分を算出することと；
前記対角周波数因子を算出すべく、複数の前記グループ輝度成分を加算することと；
を備え、
前記グループ毎の前記グループ輝度成分の算出は、
第１差分グループを求めるために、垂直に隣接する画素の複数のペアの輝度成分同士を引算することと；
第２差分グループを求めるために、画素の水平に隣接する複数のペアの前記第１差分グループのペア同士で引算することと；
前記グループ輝度成分を算出するために前記第２差分グループを加算することと
を備える、
請求項１記載の量子化制御方法。
【請求項１０】
前記量子化制御方法はさらに、前記データブロックの量子化に先立ち、実時間で前記データブロックに対して前記量子化スケールオフセットと前記第２量子化スケールをアップデートすることを備える、
請求項１記載の量子化制御方法。
【請求項１１】
ビデオ圧縮量子化を制御する量子化制御システムであって、前記量子化制御システムは、
第１量子化スケールを生成するビット伝送速度制御装置と；
対角周波数検出器を有する量子化制御装置であって、前記対角周波数検出器は、データブロックの少なくとも一部の隣接画素のペア同士の輝度成分の差に基づき対角周波数因子を生成し、前記量子化制御装置は前記対角周波数因子と、前記データブロックの少なくとも一部の輝度強度と、および前記データブロックの動きレベルとに基づき量子化スケールオフセットを生成し、前記量子化制御装置は第２量子化スケールを受信すべく、前記量子化スケールオフセットを用いて第１量子化スケールを調整する、量子化制御装置と；
前記第２量子化スケールを用いて前記データブロックを量子化する量子化器と
を備える、量子化制御システム。
【請求項１２】
前記量子化制御装置は、前記対角周波数因子、前記輝度強度、および前記動きレベルに重み関数を適用することによって、前記量子化スケールオフセットを生成する、
請求項１１記載の量子化制御システム。
【請求項１３】
前記対角周波数検出器は、
前記データブロックの画素の複数のグループを選択することと；
それぞれ前記グループ毎に、対応するグループ輝度成分を算出することと；
前記対角周波数因子を算出すべく、複数の前記グループ輝度成分を加算することと；
を実行し、
前記グループ毎に前記対角周波数検出器は、
第１差分グループを求めるために、水平に隣接する画素の複数のペアの輝度成分同士を引算することと；
第２差分グループを求めるために、画素の垂直に隣接する複数のペアの前記第１差分グループのペア同士で引算することと；
前記グループ輝度成分を算出するために前記第２差分グループを加算することと
を実行する、
請求項１１記載の量子化制御システム。
【請求項１４】
前記重み関数の適用は、ビデオ圧縮エンコーダの特性に関連するパラメータに基づき、前記対角周波数因子、前記輝度強度、および前記動きレベルのうちの少なくとも１つを処理することを備える、
請求項１２記載の量子化制御システム。
【請求項１５】
前記データブロック内の画素の複数の前記グループは、前記データブロックの全ての画素を有する、
請求項１３記載の量子化制御システム。
【請求項１６】
前記データブロック内の画素の複数の前記グループは、前記データブロックの部分集合を規定する、
請求項１３記載の量子化制御システム。
【請求項１７】
前記重み関数は、ビデオ圧縮エンコーダの特性に関連するパラメータに基づく積の予め規定された加重和を含む、
請求項１２記載の量子化制御システム。
【請求項１８】
前記重み関数は、コード化すべきビデオストリームの特性に関連するパラメータに基づく積の適応加重和を含む、
請求項１２記載の量子化制御システム。
【請求項１９】
前記対角周波数検出器は、
前記データブロックの画素の複数のグループを選択することと；
それぞれ前記グループ毎に、対応するグループ輝度成分を算出することと；
前記対角周波数因子を算出すべく、複数の前記グループ輝度成分を加算することと；
を実行し、
前記グループ毎に前記対角周波数検出器は、
第１差分グループを求めるために、垂直に隣接する画素の複数のペアの輝度成分同士を引算することと；
第２差分グループを求めるために、画素の水平に隣接する複数のペアの前記第１差分グ
ループのペア同士で引算することと；
前記グループ輝度成分を算出するために前記第２差分グループを加算することと
を実行する、
請求項１１記載の量子化制御システム。
【請求項２０】
前記量子化器は、前記量子化スケールオフセットと前記第２量子化スケールを実時間でアップデートする、
請求項１１記載の量子化制御システム。
【請求項２１】
ビデオ圧縮量子化を制御するために、データブロックの少なくとも一部の隣接画素のペア同士の輝度成分の差に基づき、対角周波数因子を生成する手順と；
前記対角周波数因子と、前記データブロックの少なくとも一部の輝度強度と、および前記データブロックの動きレベルとに基づき、量子化スケールオフセットを生成させる手順と；
第２量子化スケールを受信すべく、前記量子化スケールオフセットを用いて第１量子化スケールを調整する手順と；
前記第２量子化スケールを用いて前記データブロックを量子化する手順と
をコンピュータに実行させるためのプログラムを記録したコンピュータ可読媒体。
【請求項２２】
前記量子化スケールオフセットの前記生成は、前記対角周波数因子、前記輝度強度、および前記動きレベルに、重み関数を適用する手順をコンピュータに実行させる手順を備える、
請求項２１記載のコンピュータ可読媒体。
【請求項２３】
前記対角周波数因子の前記生成は、
前記データブロックの画素の複数のグループを選択する手順と；
それぞれ前記グループ毎に、対応するグループ輝度成分を算出する手順と；
前記対角周波数因子を算出すべく、複数の前記グループ輝度成分を加算する手順と；
を備え、
前記グループ毎の前記グループ輝度成分の算出は、
第１差分グループを求めるために、水平に隣接する画素の複数のペアの輝度成分同士を引算する手順と；
第２差分グループを求めるために、画素の垂直に隣接する複数のペアの前記第１差分グループのペア同士で引算する手順と；
前記グループ輝度成分を算出するために前記第２差分グループを加算する手順と
を備える、
請求項２１記載のコンピュータ可読媒体。